(57)【要約】【課題】簡易に物干しを形成でき、また、容易に、かつ美観を損ねることなく収納することのできる物干し具を提供すること。【解決手段】適宜間隔を空けて配置される２本の支柱部材と、該支柱部材から水平方向に突出するとともに竿受け部を備える竿受けアームと、前記竿受け部を介して２本の支柱部材間に差し渡される物干し竿とを備え、前記竿受けアームが、前記支柱部材内に収納されるようにし、また、竿受けアームと物干し竿が、いずれも支柱部材内に収納されるようにした。【選択図】図１
2013081631.tif 000002
【特許請求の範囲】
【請求項１】
適宜間隔を空けて配置される２本の支柱部材と、
該支柱部材から突出するとともに竿受け部を備える竿受けアームと、
前記竿受け部を介して２本の支柱部材間に差し渡される物干し竿とを備え、
前記竿受けアームが、前記支柱部材内に収納されるようになされたことを特徴とする物干し具。
【請求項２】
竿受けアームと物干し竿が、いずれも支柱部材内に収納されるようになされたことを特徴とする請求項１に記載の物干し具。
【請求項３】
支柱部材は、壁面に沿って固定されていることを特徴とする請求項１又は２に記載の物干し具。
【請求項４】
竿受けアームは、その基端部が支柱部材に連結されるとともに、その先端部を支柱部材内から引き出すことによって、竿受け部において物干し竿を保持するようになされたことを特徴とする請求項１乃至３のいずれかに記載の物干し具。
【発明の詳細な説明】
【技術分野】
【０００１】
本発明は、物干し具に関するものであり、より詳しくは、主に室内で利用される物干し具であって必要なときに簡単に利用でき、利用しないときには好適に収納することが可能な物干し具に関するものである。
【背景技術】
【０００２】
従来から、室内において洗濯物を干すということが行われている。特に雨天が多い梅雨の時期や、積雪のある地方では真冬の時期など、屋外へ洗濯物を干すことができない日も多い。そのような時期には、毎日ではないにせよ、様々な物干し具を用いて室内で洗濯物干さざるを得ないことも多いのが実情である。
【０００３】
上記従来の物干し具としては、例えば、下記特許文献１にあるように室内の床面に自立させて使用するものがある。このような自立式かつ折り畳み式の物干し具によれば、洗濯物を干すときには、物干し具を組立てて床面に自立させ、これに洗濯物を干すことができるし、不要なときにはこれを折り畳んでコンパクトに収納しておくことができる。
【０００４】
また、床面と天井面との間に支柱を突っ張らせるようにして立設し、このように立設した２本の支柱間に物干し竿を差し渡して、これに洗濯物を掛けるようにした物干し具がある（下記特許文献２参照）。このような従来の物干し具によれば、床面と天井面があるところならばどこにでも容易に物干し具を設置できる。
【先行技術文献】
【特許文献】
【０００５】
【特許文献１】特開２００４−０５７６８８号公報
【特許文献２】特開２００２−１５３６９９号公報
【発明の概要】
【発明が解決しようとする課題】
【０００６】
確かに、上記特許文献１にある従来の物干し具によれば、洗濯物を干す必要があるときにだけ当該物干し具を持ち出してきて組み立て、これに洗濯物などを干すようにすればよく、また、必要がないときには、コンパクトに折り畳んで収納しておくことが可能である。
【０００７】
しかしながら、コンパクトに折り畳んだ状態においては、安定的に自立させることができない。そのようにコンパクトに折り畳んだ状態で物干し具を壁面等にもたれかけさせておくと、子供がこれに衝突して物干し具が倒れたりする恐れがあり、大変危険である。そのため、家具と家具との間の隙間に差し入れて収納するなどの工夫を必要としていた。さらに、折り畳んで収納した物干し具が部屋の中で見えていると室内の美観を損ねるが、これを克服するには、物干し具をクローゼットなどの中に完全に収納してしまうよりほかなく、そのような収納場所を確保しておく必要がある。
【０００８】
また、上記特許文献２にある物干し具によれば、上下に突っ張らせて立設した２本の支柱間に物干し竿を差し渡してこれに洗濯物を干せるので、確かに簡易な物干しの形成が可能であって、かつ使用しないときには嵩張らずに収納することが可能である。
【０００９】
しかしながら、この特許文献２にある物干し具によれば、カーテンやブラインドによって支柱及び物干し竿を支持する支持腕を隠せるとのことであるが、完全に隠すことはできない。また、物干し具を隠そうと思えば、例えば透光性のあるレース生地のカーテン等は適さないなど、結局のところ、室内の装飾、美観に影響や制限を及ぼしてしまうものであった。さらに、収納状態において、支持腕を折り畳んだ状態としていても、やはり完全には隠れないので美観を損ね、またカーテン等が引っ掛かって物干し具の支柱が倒れたり、カーテンが破れたりする原因となっていた。
【００１０】
さらに、上記特許文献１及び２のいずれの物干し具においても、その収納時においては、物干し竿を物干し具本体とは別個に取り外して収納しなければならず、別途物干し竿を収納する収納場所及び収納方法を検討し確保せねばならなかった。
【００１１】
本発明は、上記のような課題を克服するためになされたものであり、簡易に物干しを形成でき、また、容易に、かつ美観を損ねることなく収納することのできる物干し具を提供することを目的とする。
【課題を解決するための手段】
【００１２】
上記の課題を解決するため、本発明に係る物干し具は、適宜間隔を空けて配置される２本の支柱部材と、該支柱部材から水平方向に突出するとともに竿受け部を備える竿受けアームと、前記竿受け部を介して２本の支柱部材間に差し渡される物干し竿とを備え、前記竿受けアームが、前記支柱部材内に収納されるようになされたことを特徴とする。
【００１３】
ここで、上記「竿受けアーム」の「該支柱部材から水平方向に突出する」との構成における「水平方向」は、厳密なる水平に限られるものではない。物干し竿を保持できるアーム状、あるいは枝状のアームが突出するようになされていればよく、例えば、竿受けアームにかかるであろう荷重、すなわち物干し竿の重量及び物干し竿に掛けられる洗濯物の重量等を考慮して、竿受けアームの基端部から先端部にかけて徐々に上方に高くなるように傾斜させたものとしてもよい。あるいは、物干し具の正面側から洗濯物を掛けやすいように、竿受けアームの基端部から先端部にかけて徐々に下方へ低くなるように傾斜させることもできる。
【００１４】
本発明に係る物干し具によれば、当該物干し具を使用しないときには、竿受けアームが支柱部材内に収納されるので、簡易に物干し具の形成（設置）および収納が出来る。また、物干し具を使用しないときには、竿受けアームを収納しておけば、室内の美観を損ねることがない。
【００１５】
また、本発明に係る物干し具において、竿受けアームと物干し竿が、いずれも支柱部材内に収納されるようにすることができる。このようにすれば、物干し竿を収納するスペースを別途確保する必要がなく、またその場で物干し竿の設置及び収納ができるので、非常に簡便な物干し具の設置及び収納が可能である。さらに、竿受けアームと物干し竿の両方を支柱部材内に収納することによって、室内の美観をさらに向上させることができる。
【００１６】
さらに、本発明に係る物干し具において、支柱部材は、壁面に沿って固定されているようにすることができる。このようにすれば、物干し具がしっかりと固定されると共に、物干し具の収納時には、壁面に沿って収納されるので、室内の美観をより好適に保つことが可能となる。
【００１７】
さらに、本発明に係る物干し具において、竿受けアームは、その基端部が支柱部材に連結されるとともに、その先端部を支柱部材内から引き出すことによって、竿受け部において物干し竿を保持するようにしてもよい。このようにすれば、竿受けアームの先端部を引き出すだけで竿受け部を形成できるので、物干し具の設置（形成）が非常に容易となる。
【発明の効果】
【００１８】
以上のように、本発明に係る物干し具によれば、当該物干し具を使用しないときには、竿受けアームが支柱部材内に収納されるので、簡易に物干し具の形成（設置）および収納が出来る。また、物干し具を使用しないときには、竿受けアームを収納しておけば、室内の美観を損ねることがない。
【図面の簡単な説明】
【００１９】
【図１】本発明に係る物干し具の一実施形態を示す図であり、当該物干し具の支柱を壁面に固定し、設置状態（使用状態）とした様子を示す斜視図である。
【図２】図１に示した物干し具の正面図である。
【図３】図１に示した物干し具を収納状態（不使用状態）とした様子を示す斜視図である。
【図４】図１に示した物干し具の支柱を示した図であって、竿受けアームと物干し竿とを支柱内に収納した状態を示す説明図であり、（ａ）はその平面図、（ｂ）は正面図、（ｃ）は左側面図、（ｄ）は背面図、（ｅ）は側断面図である。
【図５】図４のＡ−Ａ線間断面における端面図である。
【図６】図４のＢ−Ｂ線間断面における端面図である。
【図７】図１に示した物干し具の設置状態（使用状態）における図３（ｅ）と同様の側断面図である。
【図８】図４におけるＣ−Ｃ線間の拡大図である。
【図９】図４におけるＤ−Ｄ線間の拡大図である。
【図１０】図７のＥ−Ｅ線およびＦ−Ｆ線において囲まれた領域の拡大図であって、竿受けアームを設置状態（使用状態）とし、物干し竿を保持させた様子を示す部分断面図である。
【図１１】本発明に係る物干し具の別の実施形態を示す図であり、支柱を壁面に固定し、設置状態（使用状態）とした様子を示す斜視図である。
【図１２】本発明に係る物干し具の更に別の実施形態を示す図であり、支柱を壁面に固定して設置状態（使用状態）とした様子を示す斜視図である。
【図１３】図１２に示した物干し具を収納状態（不使用状態）とした様子を示す斜視図である。
【図１４】図１３のＧ−Ｇ線間における断面図である。
【発明を実施するための形態】
【００２０】
以下、本発明を実施するための形態を、図面に基づいて詳細に説明する。
【００２１】
図１〜図１０は、本発明に係る物干し具１の一実施形態を示した図であり、図１及び図２において、当該物干し具１の支柱（支柱部材）２を壁面に固定して設置し、洗濯物などを干せるようにした状態（使用状態）を示している。
【００２２】
図１にあるように、この物干し具１は、互いに所定間隔を空けて室内の壁面Ｗに固定した２本の支柱２と、それぞれの支柱２の所定高さ位置から枝状に突き出た竿受けアーム３と、当該竿受けアーム３に対して着脱自在に取り付け（載置）して保持させることが可能な物干し竿４とを備えている。
【００２３】
この実施形態においては、それぞれの支柱２は、凡そ床面から天井面近くまでの高さ寸法を有しており、竿受けアーム３が各々２箇所に設けられている。図７、図１０等に示すように、竿受けアーム３は、支柱２と一体的に設けられ、支柱２側の基端部から先端部に向かって斜め上方に延びるようになされている。さらに、各竿受けアーム３（アーム本体３１）の上面には、物干し竿４を載置して保持するための物干し竿保持手段３２が設けられている。この実施形態においては、物干し竿保持手段３２は各竿受けアーム３に２箇所ずつ設けられており、これによって、各竿受けアームに対して物干し竿４を２本ずつ保持させることが可能となされている。
【００２４】
また、図１〜図３に示すように、竿受けアーム３及び物干し竿４は、支柱２内に収納可能なものとなっている。すなわち、物干し具１に洗濯物を干すなどして利用する際には、図１のように竿受けアーム３を支柱２（支柱本体２１）から前方へ突出した状態とし、さらに物干し竿４を竿受けアーム３の物干し竿保持手段３２に保持させることによって、２本の支柱２、２間に物干し竿４を差し渡すようにして、物干し具１の設置状態（使用状態）とし、物干し具１を利用しないときには、図３に示すように、竿受けアーム３と物干し竿４を支柱２内に収納することによって、物干し具１の収納状態（不使用状態）とすることができる。
【００２５】
この点、詳細は後述するが、竿受けアーム３は、各竿受けアーム３（アーム本体３１）の下端部（基端部）側において、回動軸を中心として回動可能に支柱（支柱本体２１）に取り付けられており、竿受けアーム３の先端部側を支柱２方向に回動させて（図１における矢印Ｘ）、竿受けアーム３全体を支柱２内に収納できるようになされ、また竿受けアーム３の先端部側を手前（前方）に回動させて引き出すことにより（図１における矢印Ｙ）、竿受けアーム３を使用状態とできるようになされている。
【００２６】
物干し竿４は伸縮自在とされており、収納時には、これを縮めて図１の矢印Ｚに示すように、支柱２の正面から、支柱２（支柱本体２１）の中央下部に形成された物干し竿収納部２５５に嵌め込むようにして収納できるようになされている。また、支柱２の物干し竿収納部２５５から物干し竿４を取り出して、これを適宜伸ばしたのち、竿受けアーム３の物干し竿保持手段３２に物干し竿４を保持させることによって、物干し竿４を使用状態とすることができる。
以下、上述した実施形態における物干し具１について、より詳細に説明する。
【００２７】
図４は、竿受けアーム３と物干し竿４とを支柱２内に収納した状態を示す支柱２の説明図であり、（ａ）はその平面図、（ｂ）は正面図、（ｃ）は左側面図、（ｄ）は背面図、（ｅ）は側断面図である。竿受けアーム３及び物干し竿４を収納した状態における支柱２の外形は、この図４から分かるように、背面、左右側面及び上下端面が略平坦な形状となされ、正面は、上端から下端にかけて中央部近傍が膨らみ、左右端部方向へ向けて奥行き寸法が小さくなるような緩やかな円弧形状となされている。これにより、人が支柱２の角部に衝突して怪我をすることがないようになされ、またデザイン的にスマートな形態のものとなされている。
【００２８】
支柱２を構成する支柱本体２１は、押出成型されたアルミ型材からなるものであって、図４〜図６に示すように、支柱本体２１の左右端部に形成され、上下に挿通する中空部を備える左右筒状部２１１、２１２と、当該左右筒状部２１１、２１３を接続する背面板部２１３とを備えている。また、これによって、前記背面板部２１３の前面側、すなわち支柱本体２１の正面中央に、支柱本体２１の上端から下端に亘って直線溝状に広く窪んだ凹部２５が形成されており、当該凹部２５に竿受けアーム３や物干し竿４が収納されるものとしている。
【００２９】
尚、支柱本体２１の凹部２５において、竿受けアーム３が収納される位置および物干し竿４が収納される位置以外の位置は、表面板２４で覆われている。また、支柱本体２１の上下端部には端部キャップ２２、２３が嵌着されている。
【００３０】
さらに、この支柱本体２１には、図４に示すように、正面側から背面側に貫通するネジ孔２１５が複数箇所形成されている。このネジ孔２１５を介して支柱本体２１を壁面にネジ留めして固定するようになされている。尚、支柱本体２１を壁面に固定する手段としては、上記ネジ留めに限られず、これに替えて既知の任意の手段を用いることが可能である。
【００３１】
次に、この実施形態における竿受けアーム３について説明する。図１〜３、図４、図７等に示すように、竿受けアーム３は、１本の支柱２に対し２箇所設けられており、それぞれ竿受けアーム３を収納状態としたときに、支柱２の正面側表面板を兼ねるアーム本体３１と、物干し竿４を載置して保持するための物干し竿保持手段３２とを備えている。図９及び図１０等に示すように、アーム本体３は、支柱本体２１の凹部２５に配されたアームホルダ２７を介して支柱本体２１に取り付けられる。すなわち、支柱本体２１の凹部２５内に固定されたアームホルダ２７にはアーム本体取付用軸穴２７１が形成され、該アーム本体取付用軸穴２７１に配されたアーム回動軸２７２を、アーム本体３１の基端部近傍における側壁部３１２に形成された支持軸孔３１２ａに挿通させることによって、アーム本体３１は、前記アーム回動軸２７２を中心に回動可能なように取り付けられる。尚、アーム本体３１は、支柱本体２１と同じくアルミ型材により形成され、アーム本体３１を収納状態（不使用状態）としたときに支柱２の正面側表層面の一部を構成する正面板部３１１と、正面板部３１１の左右両側面から支柱本体２１方向へ屈曲させた側壁部３１２とを備え、これにより、図５に示されるように、略Ｕ字状の断面を備える形状のものとなされている。
【００３２】
また、アーム本体３１を使用状態としたとき、言い換えると、アーム本体３１を収納状態から使用状態へと開いたときに、アーム本体３１が開き過ぎないように、また支柱本体２１に対して所定の角度をなすように、アーム開き角度制限手段５が設けられている。図１に加えて図９及び図１０を参照して説明すると、アーム開き角度制限手段５は、主に、アーム本体３１の回動面と平行な面を回動自在となされた支持杆５１１からなるものであり、この実施形態においては、アーム本体３１の左右両端部近傍に１本ずつ、計２本の支持杆５１１が設けられている。この支持杆５１１は、細長の板状部材をコ字状に折り曲げて形成されたアーム支持体５１の一部であって、軸部５１２の両端から左右２本の支持杆５１１が突き出る（これにより、前記コ字状となる）ように形成されているものである。このアーム支持体５１は、支柱本体２１の凹部２５に配されたアームホルダ２７を介して支柱本体２１に取り付けられる。すなわち、アームホルダ２７にはアーム支持体取付用軸穴２７３が左右２箇所に形成されており、このアーム支持体取付用軸穴２７３内に、アーム支持体５１の軸部５１２を挿通させることによって、アーム支持体５１は、前記軸部５１２を中心に回動可能なように取り付けられている。尚、アーム支持体取付用軸穴２７３及び軸部５１２は、アーム本体取付用軸穴２７１及びアーム回動軸２７２よりも上方に設けられている。
【００３３】
さらに、アーム支持体５１には、支持杆５１１の先端部間にスライド軸５１３が差し渡されて設けられている。スライド軸５１３は、アーム本体３１の左右側壁部３１２に形成された長孔３１２ｂに挿通され、当該長孔３１２ｂに沿って摺動可能となされている。
【００３４】
アーム本体３１の左右側壁部３１２に形成された長孔３１２ｂは、アーム本体３１が設置状態（使用状態）にあるときは、アーム支持体５１のスライド軸５１３が長孔３１２ｂの下端部（アーム本体３１側の端部）に当接し、アーム本体３１が支柱２に対して所定の角度θを保持できる位置に形成される（図１０の状態）。また、竿受けアーム３を収納する際には、スライド軸５１３が長孔３１２ｂに沿ってアーム本体３１の先端部方向に摺動して竿受けアーム３が支柱本体２１内に収納される（図９に示した状態）ように、長孔３１２ｂは、少なくとも竿受けアーム３を支柱本体２１内に収納する位置にまでスライド軸５１３を摺動可能な長さ寸法のものをして形成される。
【００３５】
上記所定の角度θは、０°＜θ≦９０°の範囲で任意に設定するのが好ましく、例えばこれを９０度としてアーム本体３１が床面と水平に突出するようにしてもよいが、物干し竿４に多くの洗濯物等を掛けた場合には、アーム本体３１が湾曲するなどして、アーム本体３１の先端部が垂れ下がり、洗濯物が脱落する可能性があるので、アーム本体３１の基端部から先端部に向かって、斜め上方に傾斜して延びるようにするのがより好ましい。尚、この角度θは、上記０°＜θ≦９０°の範囲に限定されるものではなく、竿受けアーム３の先端部側から洗濯物を掛け易いようにθ＞９０°とし、アーム本体３１が、その基端部から先端部に向かって、斜め上方に傾斜して延びるようにしてもよい。
【００３６】
図１及び図１０等に示すように、アーム本体３１を使用状態としたときの上面側（収納状態における支柱本体側）には、物干し竿４を保持するための物干し竿保持手段３２が設けられている。この実施形態においては、図１０に示すように、物干し竿保持手段３２は固定保持体３２１と揺動保持体３２２とからなり、物干し竿４は、固定保持体３２１の固定保持片３２１ａと揺動保持体３２２の揺動片３２２ａとの間に挟持されるようにしてアーム本体３１上に載置され、保持されるようになされている。この固定保持体３２１は、アーム本体３１に固定されており、物干し竿４がアーム本体３１の先端部方向へ移動する動きを制限するための固定保持片３２１ａを備えている。固定保持片３２１ａは、固定保持体３２１と一体的に形成され、アーム本体３１の長手方向とは垂直方向、かつ上方へ延びるものとなされている。
【００３７】
また、揺動保持体３２２は、固定保持体３２１に設けられた揺動軸３２１ｂを中心に回動自在に取り付けられている。揺動保持体３２２は、揺動片３２２ａと揺動支持片３２２ｂとが一体的に形成されてなるものである。揺動片３２２ａと揺動支持片３２２ｂは、互いに所定角度（この実施形態においては約１５０°）を成すように別の方向へ突出する２つの棒状体ないし板状体が一体的に形成されたものであって、その連結部（基端部）３２２ｃには、揺動軸３２１ｂを挿通可能な揺動軸挿通穴３２２ｄを備えている。揺動保持体３２２は、その使用状態においては、揺動支持片３２２ｂの下側面が固定保持体３２１又はアーム本体３１に当接して、その揺動が制限されるようになされている。この状態において、揺動片３２２ａの先端部は、固定保持片３２１ａの先端部よりも鉛直方向で高い位置にまで突出するようになされると共に、揺動片３２２ａと固定保持片３２１ａとの間には、物干し竿４を載置可能な空間部が形成されるようになされている。また、揺動保持体３２２は、その不使用状態（収納状態）においては、揺動保持体３２２を揺動軸３２１ｂを中心に回動させ、揺動片３２２ａの先端部におけるアーム本体３１からの高さ位置を、固定保持片３２１ａの先端部の高さ位置よりも低くなる位置にまで変位させることができるものとしている。
【００３８】
揺動保持体３２２が上述のような形態を備えていることで、竿受けアーム３を使用状態としたときには揺動片３２２ａを上方へ突出させることによって固定保持片３２１ａとの間に物干し竿４を載置可能な空間部が形成されると共に、物干し竿４がアーム本体３１の基端部方向へ移動する動きを制限するようになされており、また、竿受けアーム３を収納状態としたときには、この揺動保持体３２２を揺動させることによって、その高さ寸法（アーム本体３１からの高さ寸法。すなわち、収納状態における支柱本体２１内での奥行き寸法）が小さくなって竿受けアーム３が好適に支柱本体２１内に収納されるようになされている。この点、逆に言えば、揺動保持体３２２を上述のように揺動可能としたことによって、その高さ寸法（アーム本体３１からの高さ寸法。すなわち、収納状態における支柱本体２１内での奥行き寸法）が小さくなるので、支柱本体２１の奥行き寸法をその分だけ小さくすることができる。
【００３９】
また、支柱本体２１及びアーム本体３１には、アーム本体３１を収納状態に保持するための、収納状態保持手段６が設けられている。この収納状態保持手段６は、図９及び図１０に示すように、支柱本体２１側に設けられたストッパー本体６１と、アーム本体３１側に設けられたストッパー片６２とからなる。ストッパー本体６１は、支柱本体２１の凹部２５内に固定され、アーム本体３１側に設けられたストッパー片６２を嵌入可能な嵌入穴６１１が形成されている。また、ストッパー片６２は、アーム本体３１に固定され、その先端部が、竿受けアーム３の収納状態において、支柱本体２１側に突出し、ストッパー本体６１の嵌入穴６１１へ嵌入可能な形態のものとしている。
【００４０】
ストッパー本体６１及びストッパー片６２は、いずれも任意に選択される樹脂材料により形成されると共に、ストッパー片６２の少なくとも一部の寸法が、対応する嵌入穴６１１の寸法よりも僅かに大きくなされており、これによってストッパー片６２は嵌入穴６１１に圧入され、また、この圧入状態で維持されるようになされている。尚、前記圧入状態は、利用者がアーム本体３１を手で引き出せば解除できる程度のものである。この実施形態においては、竿受けアーム３を使用状態とするときには、アーム本体３１の上端部の上側に形成されている隙間へ爪ないし指先を挿入して、アーム本体３１を引き出すようにすればよい。あるいは、図示しないが、竿受けアーム３を容易に引き出せるよう、アーム本体３１に把持部を設け、利用者がこの把持部を手で摘んでアーム本体３１を引き出せるようにすることもできる。尚、収納状態保持手段６は、上記の形態に限られるものではなく、同様の効果が得られるものであれば、既知の任意の手段を選択して用いることが可能である。
【００４１】
次に、物干し竿４について説明する。この実施形態における物干し竿４は、図１に示すように、竿受けアーム３上に載置され保持されて、２本の支柱２間に差し渡されるようにして用いられるものである。各物干し竿４は、伸縮自在となされており、外側パイプ４１と、当該外側パイプ４１の内径よりも僅かに小さい外径を有する内側パイプ４２からなり、この内側パイプ４２を外側パイプ４１に内嵌させることにより、物干し竿４を伸縮自在としている。尚、物干し竿４の両端部には端部キャップ４３が設けられている。
【００４２】
また、物干し竿４は、これを最短に縮めて支柱本体２１内に収納することができる。図１に示すように、この実施形態においては、最短に縮めた物干し竿４を左右に並べて２本、支柱本体２１の正面から、支柱本体２１に形成された凹部２５の下部側に収納可能としている。支柱本体２１の凹部２５内には、物干し竿４を収納状態に係止して保持するための物干し竿係止手段７が設けられている。この物干し竿係止手段７は、この実施形態においては、各物干し竿４の上下端部近傍をそれぞれ把持する把持部７１が形成されてなるものである。この把持部７１は、先端部が切り欠かれてＣ字状にのびる２本の突出片７１１からなるものである。把持部７１は、合成樹脂材料により形成され、前記Ｃ字状部の内径は、物干し竿４の外径と略同一か或いは僅かに小さいものとなされている。また、突出片７１１の先端部同士の間の距離は、物干し竿４の外径よりも小さいものとしている。このような構成によって、物干し竿４を支柱本体２１の前方（正面）から凹部２５内へ押し付けるようにすると、物干し竿４は、把持部７１に弾性的に係止されて収納状態に保持され、また、物干し竿４を使用するときには、当該物干し竿４を手前に引くだけで容易に取り出すことが可能であり、これにより物干し竿４を支柱本体２１に対して着脱自在に収納可能としている。
【００４３】
さらに、この実施形態における物干し竿４の外側パイプ４１は、その収納状態において支柱本体２１の正面側になる面が、支柱本体２１の前面側の曲面に沿った曲面形状となされた異形断面形状を備えている。これにより、物干し竿４を収納状態としたとき、外観上、支柱本体２１と一体に見えるので、美観において優れたものとなっており、また、人が物干し竿４に接触して脱落する恐れが無いものとなっている。
【００４４】
尚、物干し竿４を支柱本体２１に対して着脱自在に収納可能とする物干し竿係止手段７は上記の形態に限定されるものではない。例えば、図１１に示した別の実施形態にあるように、支柱本体２１の凹部２５を表面板２８で覆うと共に、当該表面板２８の背面側を空洞部２５５として、この空洞部に物干し竿を収納するようにすることもできる。さらに、図示しないが、この形態において、物干し竿４を容易に収納および取り出し可能なように、表面板２８を前方に開くことができるようにしてもよい。また、これも図示しないが、支柱本体２１の前面側からではなく、側面側から物干し竿４を収納および取り出し可能なものとすることもできる。
【００４５】
図１２〜図１４は、本発明に係る物干し具１の更に別の実施形態を示すものであり、図１２は、当該物干し具１の設置状態（使用状態）、図１３は、当該物干し具１の収納状態（不使用状態）示している。以下、この実施形態の物干し具１について、上述した実施形態と異なる点を中心に説明する。この実施形態においては、支柱本体２１は、円筒形状となされ、その上下端部において略Ｌ字形状の支持金具８を介して壁面に固定される。このＬ字形状の支持金具８は、その一端部が支柱本体の上下端部キャップ８１と一体的に形成され、他端部は、円盤状の板状体８２と一体的に形成されて、当該板状体に形成されたねじ穴８２１を介して壁面にねじ留めされている。
【００４６】
各支柱２には、竿受けアーム３が１本ずつ設けられている。この竿受けアーム３は、前述の実施形態と同様、不使用時には支柱本体２１内に収納可能なものとしている。各竿受けアーム３のアーム本体３１には、その側壁部３１１を一部切り欠いて物干し竿４を載置可能な切欠部３２３を形成し、これを物干し竿保保持手段３２としている。これにより、当該切欠部３２３に物干し竿４を載置して保持させて、２本の支柱２間に物干し竿４を差し渡すようになされている。
【００４７】
また、図１２に示すように、物干し竿４は、竿受けアーム３を設置状態（使用状態）としたときに現れる支柱本体２１の開口部２１７から、支柱本体２１内に収納可能としている。支柱本体２１内に物干し竿４を収納すると、図１３に示すような収納状態となる。尚、この物干し竿４を支柱本体２１に収納可能とする構成については、上記に限られない。例えば上述した第一の実施形態の説明において示したように、支柱本体２１の正面側から収納するようにしてもよく、あるいは、側面側から収納できるようにしてもよい。
【００４８】
以上のとおり、具体的な実施形態をいくつか示して本発明に係る物干し具１を説明してきたが、本発明は上述の実施形態に限られるものではなく、本発明の趣旨を逸脱しない範囲で様々に形態等を変更することが可能なものである。すなわち、今回開示した実施形態は、すべての点で例示であって、限定的な解釈の根拠となるものではない。したがって、本発明の技術的範囲は、上述した実施形態のみによって解釈されるものではなく、特許請求の範囲の記載に基づいて画定され、また、特許請求の範囲と均等の意味および範囲内でのすべての変更が含まれるものである。
【符号の説明】
【００４９】
１      物干し具
２      支柱
２１    支柱本体
２４    表面板
２５    凹部
２７    アームホルダ
３      竿受けアーム
３１    アーム本体
３１１  正面板部
３１２  側壁部
３１２ａ  支持軸孔
３１２ｂ  長孔
３２      物干し竿保持手段
３２１  固定保持体
３２２  揺動保持体
４      物干し竿
５      アーム開き角度制限手段
５１    アーム支持体
６      収納状態保持手段
６１    ストッパー本体
７      物干し竿係止手段
８      支持金具
【図１】
2013081631.tif 000003
【図２】
2013081631.tif 000004
【図３】
2013081631.tif 000005
【図４】
2013081631.tif 000006
【図５】
2013081631.tif 000007
【図６】
2013081631.tif 000008
【図７】
2013081631.tif 000009
【図８】
2013081631.tif 000010
【図９】
2013081631.tif 000011
【図１０】
2013081631.tif 000012
【図１１】
2013081631.tif 000013
【図１２】
2013081631.tif 000014
【図１３】
2013081631.tif 000015
【図１４】
2013081631.tif 000016